(57)【要約】【課題】  取り付け場所であるスペース内を有効に利用できるように薄型テレビを取り付ける薄型テレビ取り付け装置を提供する。【解決手段】  薄型テレビ取り付け装置１１を、前後方向に延びるテレビ移動用ガイド２１と、テレビ移動用ガイド２１に、前後方向にスライド移動可能に取り付けたサポート本体２３と、サポート本体２３に揺動可能に取り付けたチルト板２７と、チルト板２７に、前後方向にスライド移動可能に取り付けた揺動部材２９と、から構成しておく。液晶テレビ９の液晶画面が上側を向くようにチルト板２７が揺動し、揺動部材２９及びサポート本体２３がそれぞれ、後方にスライド移動することにより、使用状態の液晶テレビ９が非使用状態に変位する。【選択図】  図４
2005079928.tif 000002
【特許請求の範囲】
【請求項１】
物品の収容などに利用される前側開放のスペース内に配置された、前後方向に延びるテレビ移動用ガイドと、前記テレビ移動用ガイドに沿って前後方向に移動できるようにこのテレビ移動用ガイドに設けられた、薄型テレビを支持するためのテレビ用サポートと、を備え、前記テレビ用サポートは、前記薄型テレビを、画面が前側を向く使用状態及び前記テレビ移動用ガイドに平行又はほぼ平行な退避状態に揺動変位させる揺動機構を有している、薄型テレビ取り付け装置であって、
前記揺動機構は、使用状態の前記薄型テレビを、画面が徐々に上側を向くように揺動させて退避状態に変位させ、退避状態の前記薄型テレビを、画面が徐々に前側を向くように揺動させて使用状態に変位させるものとして構成されている、ことを特徴とする薄型テレビ取り付け装置。
【請求項２】
前記テレビ用サポートは、前記テレビ移動用ガイドに沿って前後方向に移動できるように、このテレビ移動用ガイドに取り付けられたサポート本体と、このサポート本体の前端部に、前記揺動機構を介して接続された、前記薄型テレビが取り付けられる揺動部材と、を有していて、
前記揺動部材は、前記サポート本体に沿って前後方向に移動できるように、このサポート本体に取り付けられている、ことを特徴とする請求項１記載の薄型テレビ取り付け装置。
【請求項３】
前記揺動部材は、前記サポート本体に沿って前方に移動したときにのみ揺動できるように構成されている、ことを特徴とする請求項２記載の薄型テレビ取り付け装置。
【請求項４】
前記揺動部材又は前記サポート本体には低摩擦部材が取り付けられていて、
前記揺動部材は、前記低摩擦部材と前記サポート本体又は前記揺動部材との相対的な摺動をともない、前記サポート本体に沿って前後方向にスライド移動する、ことを特徴とする請求項２又は３記載の薄型テレビ取り付け装置。
【請求項５】
置き台部と天井部との間に前側開放の物置スペースを形成している床頭台本体と、前記物置スペース内に薄型テレビを配置するための薄型テレビ取り付け装置と、を具備し、
前記薄型テレビ取り付け装置は、前記天井部の下側で、この天井部に沿って前後方向に延びるように配置されたテレビ移動用ガイドと、前記テレビ移動用ガイドに沿って前後方向に移動できるようにこのテレビ移動用ガイドに設けられた、薄型テレビを支持するためのテレビ用サポートと、を備えている、テレビ床頭台であって、
前記テレビ用サポートは、前記薄型テレビを、画面が前側を向く使用状態及び前記テレビ移動用ガイドに平行又はほぼ平行な退避状態に揺動変位させる揺動機構を有し、
前記揺動機構は、使用状態の前記薄型テレビを、画面が徐々に上側を向くように揺動させて退避状態に変位させ、退避状態の前記薄型テレビを、画面が徐々に前側を向くように揺動させて使用状態に変位させるものとして構成されている、ことを特徴とするテレビ床頭台。
【発明の詳細な説明】
【技術分野】
【０００１】
本発明は、例えば、病室内や介護施設内などのベッドの傍らに配置される床頭台の物置スペースに設けられ、この物置スペース内に薄型テレビを配置する薄型テレビ取り付け装置及びこのような薄型テレビ取り付け装置を有するテレビ床頭台に関する。
【背景技術】
【０００２】
病院での入院生活や介護施設での療養生活でもテレビは必要不可欠なものであり、通常は、ベッドの傍らに配置された床頭台の天板（載置板）上にテレビが載せられている。入院患者などは、例えばベッドに横たわった状態で、床頭台の天板上に載せられているテレビを操作して視聴することができるが、天板はテレビによってほとんどあるいは広い範囲で占領されているので、床頭台の上側に身の回り品などを置いておくことができず、不便である。床頭台の上側は、ベッド面とほぼ同じような高さに配置されるので、床頭台の上側に身の回り品などをおければ、入院患者などにとって非常に都合がよい。そこで、載置板の上方に天井板を設けた床頭台も用いられている。
【０００３】
載置板の上方に天井板を設けた床頭台を用いることにより、載置板上にテレビを載せておいても、天井板上に身の回り品などを置けるので、入院生活などの利便性は向上するが、天井板はベッド面よりもかなり高く位置しているので、ベッドに横たわったままの状態で天井板上に物を置き、あるいは天井板上から物を降ろすといったことは困難な場合が多い。
【０００４】
そこで、テレビとして薄型の液晶等テレビを用い、この薄型テレビを揺動可能に天井板から吊り下げるテレビ取り付け装置を床頭台に構成する技術も知られている（例えば特許文献１参照）。このような床頭台では、載置板と天井板との間のスペースの前側に薄型テレビを起立させて視聴し、不使用時には、薄型テレビを水平状態又はほぼ水平状態になるまで上方に回転あるいは揺動させて退避状態あるいは非使用状態としておくことができる。したがって、テレビ使用時には、薄型テレビの後側に、そしてテレビ非使用時には、薄型テレビの下側に、大きなあるいは比較的大きなスペースを確保することができ、このスペースを身の回り品などの載置スペースとして有効利用することが可能となる。
【０００５】
【特許文献１】特許第２９１４５６８号公報（第７頁、図８）
【発明の開示】
【発明が解決しようとする課題】
【０００６】
しかしながら、特許文献１に記載されたような薄型テレビ取り付け装置を用いる場合には、薄型テレビの後側のスペースを身の回り品などの載置スペースとして利用すると、薄型テレビを起立使用状態から横向き退避状態に、後方に揺動変位させる際に、載置板上に載置した身の回り品などを、薄型テレビの揺動の邪魔にならないように退かさなければならない。また、薄型テレビの下側のスペースを身の回り品などの載置スペースとして利用しても、薄型テレビを視聴するために、横向き退避状態から起立使用状態に前方に揺動変位させる際にやはり、載置板上に載置した身の回り品などを、薄型テレビの揺動の邪魔にならないように退かさなければならない。
【０００７】
このような不都合をさけるためには、天井板の高さを高くして、載置板と薄型テレビとの間を広くすることが考えられるが、天井板がベッド面から離れるにつれてあるいは高くなるにつれて床頭台の利便性は低下してしまう。
【０００８】
そこで本発明は、取り付け場所であるスペース内を有効に利用できるように薄型テレビを取り付ける薄型テレビ取り付け装置及びこのような薄型テレビの取り付け装置を有するテレビ床頭台の提供を目的とする。
【課題を解決するための手段】
【０００９】
この目的を達成するための本発明は、物品の収容などに利用される前側開放のスペース内に配置された、前後方向に延びるテレビ移動用ガイドと、前記テレビ移動用ガイドに沿って前後方向に移動できるようにこのテレビ移動用ガイドに設けられた、薄型テレビを支持するためのテレビ用サポートと、を備え、前記テレビ用サポートは、前記薄型テレビを、画面が前側を向く使用状態及び前記テレビ移動用ガイドに平行又はほぼ平行な、例えば水平な退避状態に揺動変位させる揺動機構を有している薄型テレビ取り付け装置であって、前記揺動機構は、使用状態の前記薄型テレビを、画面が徐々に上側を向くように、例えば前方に揺動させて退避状態に変位させ、退避状態の前記薄型テレビを、画面が徐々に前側を向くように、例えば後方に揺動させて使用状態に変位させるものとして構成されている、薄型テレビ取り付け装置を提供する。使用時に薄型テレビは、例えばスペースの前側に位置する（スペース内に位置する場合とスペースの外に位置する場合とがある）。この状態から退避状態への薄型テレビの変位は、画面が徐々に上側を向くように、例えば前方に薄型テレビを揺動させて行われる。したがって、薄型テレビの退避状態への変位は、薄型テレビがスペース内の利用領域（例えば身の回り品などが置かれる領域）を通過しないようにあるいはほとんど通過しないように又はあまり通過しないようにして行うことができる。薄型テレビを退避状態に変位させると、通常は、薄型テレビがスペース内から前方に突出することとなるが、テレビ用サポートをテレビ用ガイドに沿って後方に移動させれば、薄型テレビをスペース内に納めて非使用状態とすることができる。
【００１０】
また、退避状態から使用状態への薄型テレビの変位は、薄型テレビが、画面を徐々に前側に向けながら揺動し、例えばスペースの前側に移動するといったような態様で行われる。したがって、薄型テレビの使用状態への変位は、薄型テレビがスペース内の利用領域を通過しないようにあるいはほとんど通過しないように又はあまり通過しないようにして行うことができる。通常は、テレビ用サポートをテレビ移動用ガイドに沿って前方に移動させ、薄型テレビをスペース内から前方に突出させた状態としてから、薄型テレビを使用状態となるように揺動させる。
【００１１】
テレビ用サポートを、テレビ移動用ガイドに沿って前後方向に移動できるように、このテレビ移動用ガイドに取り付けられたサポート本体と、このサポート本体の前端部に、揺動機構を介して接続された、薄型テレビが取り付けられる揺動部材と、を有するように構成し、揺動部材を、サポート本体に沿って前後方向に移動できるように、このサポート本体に取り付ける、といったようにすれば、装置をコンパクトなものとすることが可能となる。揺動機構は、例えばサポート本体の一部を構成する。
【００１２】
揺動部材は、サポート本体に沿って前方に移動したときにのみ揺動できるように構成されていることが好ましい。このように構成することにより、非使用状態又は非使用的状態の薄型テレビが誤って揺動してしまうのを防止できる。
【００１３】
揺動部材又はサポート本体に低摩擦部材を取り付けておき、揺動部材が、低摩擦部材とサポート本体又は揺動部材との相対的な摺動をともない、サポート本体に沿って前後方向にスライド移動するようにしておけば、簡単な構成で揺動部材の円滑な移動を確保できる。
【００１４】
また、本発明のテレビ床頭台は、置き台部と天井部との間に前側開放の物置スペースを形成している床頭台本体と、前記物置スペース内に薄型テレビを配置するための薄型テレビ取り付け装置と、を具備し、前記薄型テレビ取り付け装置は、前記天井部の下側で、この天井部に沿って前後方向に延びるように配置されたテレビ移動用ガイドと、前記テレビ移動用ガイドに沿って前後方向に移動できるようにこのテレビ移動用ガイドに設けられた、薄型テレビを支持するためのテレビ用サポートと、を備えている、テレビ床頭台であって、前記テレビ用サポートは、前記薄型テレビを、画面が前側を向く使用状態及び前記テレビ移動用ガイドに平行又はほぼ平行な退避状態に揺動変位させる揺動機構を有し、前記揺動機構は、使用状態の前記薄型テレビを、画面が徐々に上側を向くように揺動させて退避状態に変位させ、退避状態の前記薄型テレビを、画面が徐々に前側を向くように揺動させて使用状態に変位させるものとして構成されている、といったものである。
【発明の効果】
【００１５】
以上説明したように、本発明の薄型テレビ取り付け装置又はテレビ床頭台を用いれば、薄型テレビの配置状態を円滑に変化させることができる。
【発明を実施するための最良の形態】
【００１６】
以下、本発明を実施するための形態を図面を参照して説明する。
【００１７】
図１は本発明に係るテレビ床頭台の上部の斜視図、図２はテレビ床頭台の薄型テレビ取り付け装置の作動状態を説明する図であり、使用状態から退避状態に薄型テレビを変位させる場合を示す図、図３はテレビ床頭台の薄型テレビ取り付け装置の作動状態を説明する図であり、退避状態から非使用状態に薄型テレビを移動させる場合を示す図である。
【００１８】
テレビ床頭台１の上部は、載置部３（置き台部）と、この載置部３の上側に設けられた天井部５と、載置部３及び天井部５の間の前側開放の利用スペース７（両側も大きく開放している）内に配置されている薄型の液晶テレビ９と、を備えて構成され、利用スペース７内には、液晶テレビ９を利用スペース７内に揺動変位可能に配置する薄型テレビ取り付け装置１１が設けられている。液晶テレビ９は、図１に示すように、液晶画面１３を前側又は前方に向け、かつ、利用スペース７の前側で起立した状態（使用状態）で使用されるが、垂直状態を多少越えて後側又は奥側に揺動できるように構成されている（図１の仮想線参照）。
【００１９】
利用スペース７内には、天井部５よりも多少下側に、支持板１５が設けられていて、薄型テレビ取り付け装置１１は、この支持板１５に取り付けられて支えられている。薄型テレビ取り付け装置１１は大径の回転軸１７を有し、この回転軸１７が支持板１５に設けられた支持孔１９内に回転可能に嵌まり込んだ状態で、支持板１５上に載せられていて、回転軸１７を中心として支持板１５に沿って回転できるように構成されている。したがって、薄型テレビ取り付け装置１１は、支持板１５上で回転し、液晶画面１３が前側以外（例えば側方）を向いた状態に液晶テレビ９を回転させることができるように構成されている。また、薄型テレビ取り付け装置１１は、液晶テレビ９を前側以外の位置に回転さ、液晶テレビ９が前側に位置している場合と同様の態様で揺動変位させることができるように構成されている。
【００２０】
液晶テレビ９を退避させるには、まず、上側位置（図２の符号Ａ位置参照）を揺動中心として液晶テレビ９を前側に揺動させる。液晶テレビ９は、液晶画面１３が徐々に上側を向くように揺動してほぼ水平状態の退避状態に変位する。この退避状態では、液晶テレビ９の液晶画面１３はほぼ真上を向いているが、液晶テレビ９の下端部は利用スペース７や天井部５あるいは載置部３から前方に大きく突出している（図２の仮想線参照）。次に、水平状態を保ったままで液晶テレビ９を後方にスライド移動させ、液晶テレビ９を利用スペース７内に全体的に収容して非使用状態とする。非使用状態では、液晶テレビ９は、下端部が利用スペース７や天井部５あるいは載置部３から前方に突出しない態様で、支持板１５及び薄型テレビ取り付け装置１１と、天井部５との間に入り込んでいる（図３の仮想線参照）。なお、液晶テレビ９の揺動及びスライド移動操作は、液晶テレビ９の下端部に設けられた手掛け部２０をつかんで行われる。
【００２１】
非使用状態の液晶テレビ９を使用するためには、まず、液晶テレビ９を退避状態となるまで前方にスライド移動させる（図２の仮想線参照）。次に、後方位置（図２の符号Ａ参照）を揺動中心として液晶テレビ９を後側に揺動させる。液晶テレビ９は、液晶画面１３が徐々に前側を向くように揺動してほぼ垂直状態の使用状態に変位する（図１参照）。
【００２２】
図４は薄型テレビ取り付け装置１１の全体構成図、図５はサポート本体の構成を示す図、図６は液晶テレビ９が退避状態のときの薄型テレビ取り付け装置１１の状態を示す図、図７は液晶テレビ９が退避状態と非使用状態との中間の非使用的状態に移動したときの薄型テレビ取り付け装置１１の状態を示す図、図８は液晶テレビ９が非使用状態のときの薄型テレビ取り付け装置１１の状態を示す図である。
【００２３】
薄型テレビ取り付け装置１１は、回転軸１７を有し、支持板１５上に回転可能に載置された、前後方向に延びるプレート状のテレビ移動用ガイド２１と、このテレビ移動用ガイド２１に、前後方向にスライド移動可能に取り付けられたサポート本体２３と、このサポート本体２３の先端部にチルト装置２５を介して揺動可能に設けられたチルト板２７と、このチルト板２７に、前後方向にスライド移動可能に取り付けられたプレート状の揺動部材２９と、を備えていて、チルト装置２５及びチルト板２７はチルト機構（揺動機構）を構成し、チルト装置２５及びチルト板２７を備えたサポート本体２３と揺動部材２９とは、テレビ用サポートを構成している。
【００２４】
テレビ移動用ガイド２１は、プレート体３１の幅方向両端部に、断面コ字状の上方に突出するレール３３、３３を有して形成され、プレート体３１の後端部の幅方向中央にストッパ部材３５を備えていて、それぞれのレール３３、３３の前端には、ストッパ部３７、３７が形成されている。
【００２５】
サポート本体２３は、プレート体３９の幅方向両端部に、断面コ字状の上方に突出するスライド部４１、４１を有して形成され、プレート体３９の幅方向中間には直方体状に折り曲げ形成された保持部材４３が固定されている。保持部材４３の天板部４５には、前後方向に延びる揺動規制スリット４７が形成されていて、この揺動規制スリット４７の前端部は、大径の円形孔状の揺動許容部４９として構成されている。サポート本体２３は、スライド部４１、４１が、テフロン（登録商標）製の短い帯状の低摩擦部材５１を複数本巻き付けて、テレビ用移動ガイド２１のレール３３、３３内にスライド可能にはまり込むように、テレビ移動用ガイド２１に取り付けられていて、低摩擦部材５１のレール３３とのスムーズな摺動により、テレビ移動用ガイド２１に沿って円滑にスライド移動するように構成されている。サポート本体２３の移動範囲は、スライド部４１の前端がレール３３のストッパ部３７に当接する前端位置から、プレート体３９の後端がストッパ部材３５に当接する後端位置までの間である。
【００２６】
サポート本体２３の保持部材４３の前端部には、側方に突出する回転ピン５３を有する一対のチルト装置２５が取り付けられていて、この回転ピン５３、５３にはチルト板２７が後端寄り位置で取り付けられている。チルト板２７は、回転ピン５３を中心として揺動することができるが、チルト装置２５では回転ピン５３に大きな摩擦力が加えられていて、チルト板２７に取り付けられた揺動部材２９に液晶テレビ９が取り付けられても、揺動部材２９が液晶テレビ９を任意の角度で支えることができるように構成されている。
【００２７】
チルト板２７は、プレート体５５の幅方向両端部に、断面コ字状の下方に突出した（チルト板２７が水平状態となったときを基準とする）レール５７、５７を有して形成され、このレール５７にはテフロン（登録商標）製の短い帯状の低摩擦部材５９が複数本巻き付けられている。なお、チルト板２７の後端部は、チルト板２７が水平状態に揺動したとき、サポート本体２３の保持部材４３の前端部に被さるように形成されている。
【００２８】
揺動部材２９は、プレート体６１の幅方向両端部に、断面コ字状の下方に突出したスライド部６３、６３を有して形成され、プレート体６１の後端部の幅方向中間に、小径のピン部６５及びこのピン部６５の先端に一体的に設けられた大径の頭部６７とから形成された揺動規制ピン６９を有している。スライド部６３の後端部にはストッパ部７１が形成されている。揺動規制ピン６９は、揺動部材２９がチルト板２７（サポート本体２３の一部）に対して最も前方に移動したとき、保持部材４３の揺動規制スリット４７の揺動許容部４９に嵌まり込み、あるいは揺動許容部４９から抜け出ることができるように設けられていて、揺動部材２９は、チルト板２７に支えられて揺動し、レール５７の低摩擦部材５９とのスムーズな摺動により、チルト板２７に沿って円滑にスライド移動する。揺動部材２９の移動範囲は、スライド部６３のストッパ部７１がチルト板２７のレール５７後端部と当接する前端位置から、揺動規制ピン６９が揺動規制スリット４７の後端に当接する後端位置までである。揺動部材２９の揺動規制ピン６９は、頭部６７が揺動規制スリット４７の幅よりも大きい幅又は径を有していて、揺動許容部４９以外では揺動規制スリット４７から抜け出ることができないので、揺動部材２９は、チルト板２７に対して最も前側に移動したときにのみ、すなわち、スライド部６３のストッパ部７１がレール５７の後端と当接したときにのみ、チルト板２７とともに揺動できる。
【００２９】
なお、図１中の符号７３は、天板部５に引き出し可能に設けられた小銭等の保管ケースであり、上方に突出するそれぞれの側部にテフロン（登録商標）製の低摩擦部材７５を複数巻き付けておき、天板部５内に配置された保管ケース用ガイド７７の上方に突出する側部と低摩擦部材７５とが摺動するように、この保管ケース用ガイド７７内に引き出し可能に配置されている（図９参照：図９は保管ケース及び保管ケース用ガイドの斜視図）。
【００３０】
ここで、液晶テレビ９を使用状態から非使用状態に変位させるときの薄型テレビ取り付け装置１１の作動状態を説明すると、使用状態の液晶テレビ９は、チルト板２７及び揺動部材２９が、チルト装置２５の回転ピン５３を中心として、サポート本体２３の保持部材４３の前端部に被さるまで揺動して水平状態となることにより、退避状態に変位する。このとき、揺動部材２９に設けられた揺動規制ピン６９は、保持部材４３の揺動規制スリット４７の揺動許容部４９に嵌まり込む（図６参照）。退避状態の液晶テレビ９は、揺動規制ピン６９のピン部６５が揺動規制スリット４７の後端に当接するまで、揺動部材２９がチルト板２７に沿って後方にスライド移動することにより、非使用的状態位置に移動する（図７参照）。揺動部材２９は、揺動規制ピン６９のピン部６５が揺動規制スリット４７の後端に当接すると、それ以上、チルト板２７に沿って移動することができないが、揺動部材２９が後方に押されれば、今度はサポート本体２３が後方に移動する。したがって、非使用的状態の液晶テレビ９は、プレート体３９の後端がストッパ部材３５に当接するまで、サポート本体２３がテレビ移動用ガイド２１に沿って後方にスライド移動することにより、非使用状態位置に移動する（図８参照）。ここで、サポート本体２３が後方に移動できるように構成されていないと、液晶テレビ９を全体的に利用スペース７内に収容するまで、後方に移動させることができなかったり、チルト板２７の前端部が利用スペース７から突出した状態となってしまったりする。
【００３１】
また、液晶テレビ９を非使用状態から使用状態に変位させるときの薄型テレビ取り付け装置１１の作動状態を説明すると、非使用状態の液晶テレビ９は、スライド部６３のストッパ部７１がレール５７の後端と当接するまで、揺動部材２９がチルト板２７に沿って前方にスライド移動することにより、非使用的状態位置に移動する。揺動部材２９は、スライド部６３のストッパ部７１がレール５７の後端と当接すると、それ以上、チルト板２７に沿って移動することができないが、揺動部材２９が前方に引っ張られれば、サポート本体２３が前方に移動する。したがって、非使用的状態の液晶テレビ９は、スライド部４１の前端がレール３３のストッパ部３７に当接するまで、サポート本体２３がテレビ移動用ガイド２１に沿って前方にスライド移動することにより、退避状態位置に移動する。退避状態の液晶テレビ９は、揺動部材２９に設けられた揺動規制ピン６９が、保持部材４３の揺動規制スリット４７の揺動許容部４９から抜け出て、チルト板２７及び揺動部材２９が、チルト装置２５の回転ピン５３を中心として、ほぼ垂直状態となるまで揺動することにより、使用状態に変位する。
【産業上の利用可能性】
【００３２】
以上説明したように、本発明のテレビ床頭台は、病院などに配置することにより、入院患者等の利便性を向上させる。
【図面の簡単な説明】
【００３３】
【図１】本発明に係るテレビ床頭台の上側部分の斜視図である。
【図２】テレビ床頭台の薄型テレビ取り付け装置の作動状態を説明する図であり、使用状態から退避状態に薄型テレビを変位させる場合を示す図である。
【図３】テレビ床頭台の薄型テレビ取り付け装置の作動状態を説明する図であり、退避状態から非使用状態に薄型テレビを移動させる場合を示す図である。
【図４】薄型テレビ取り付け装置の全体構成図である。
【図５】サポート本体の構成を示す図である。
【図６】液晶テレビが退避状態のときの薄型テレビ取り付け装置の状態を示す図である。
【図７】液晶テレビが退避状態と非使用状態との中間の状態に移動したときの薄型テレビ取り付け装置の状態を示す図である。
【図８】液晶テレビが非使用状態のときの薄型テレビ取り付け装置の状態を示す図である。
【図９】保管ケース及び保管ケース用ガイドの斜視図である。
【符号の説明】
【００３４】
７                          前側開放の利用スペース（前側開放のスペース）
９                          液晶テレビ（薄型テレビ）
１１                        薄型テレビ取り付け装置
２１                        テレビ移動用ガイド
２３                        サポート本体（テレビ用サポート）
２５                        チルト装置（揺動機構：テレビ用サポート）
２７                        チルト板（揺動機構：テレビ用サポート）
２９                        揺動部材（テレビ用サポート）
【図１】
2005079928.tif 000003
【図２】
2005079928.tif 000004
【図３】
2005079928.tif 000005
【図４】
2005079928.tif 000006
【図５】
2005079928.tif 000007
【図６】
2005079928.tif 000008
【図７】
2005079928.tif 000009
【図８】
2005079928.tif 000010
【図９】
2005079928.tif 000011